(57)【要約】【課題】離れた場所からでもバッテリの充電状態を確認することができるとともに、ブザーによる騒音を低減することができる充電器を提供すること。【解決手段】バッテリの充電状態を表示する光源（発光手段）１１を外郭１２内に備えた充電器において、前記光源１１によって表示されるバッテリの充電状態を複数の方向から確認可能とする。具体的には、前記外郭１２に複数の集光器１４，１４ａ，１４ｂを設ける。又、バッテリの充電の終了やバッテリの異常をブザー音で知らせるブザー（報知手段）１３と、該ブザー１３をＯＮ／ＯＦＦする切換手段を設け、不要な場合はブザー１３をＯＦＦしてブザー音を鳴らさない。【選択図】図１
2008228505.tif 000002
【特許請求の範囲】
【請求項１】
バッテリの充電状態を表示する発光手段を外郭内に備えた充電器において、
前記発光手段によって表示されるバッテリの充電状態を複数の方向から確認可能としたことを特徴とする充電器。
【請求項２】
前記発光手段は、少なくとも１つの光源が発する光を外郭の複数の方向から確認可能としたことを特徴とする請求項１記載の充電器。
【請求項３】
前記外郭のうち少なくとも基板収納部以外はバッテリの充電状態を確認可能としたことを特徴とする請求項１又は２記載の充電器。
【請求項４】
前記外郭に複数の集光器を設けたことを特徴とする請求項１〜３の何れかに記載の充電器。
【請求項５】
前記発光手段によって充電中以外にも複数の方向から発光が確認できることを特徴とする請求項１〜４の何れかに記載の充電器。
【請求項６】
前記バッテリの充電の終了やバッテリの異常をブザー音で知らせる報知手段と、該報知手段をＯＮ／ＯＦＦする切換手段を設けたことを特徴とする請求項１〜５の何れかに記載の充電器。
【発明の詳細な説明】
【技術分野】
【０００１】
本発明は、コードレスの電動工具に用いられるバッテリを充電するための充電器に関するものである。
【背景技術】
【０００２】
電源として充電可能なバッテリを用いる電動工具においては、バッテリ切れが発生すると、バッテリを取り外して充電器によってバッテリを充電する必要がある。
【０００３】
ここで、従来の充電器を図２及び図３に基づいて説明する。
【０００４】
図２は従来の充電器の平面図、図３は同充電器の正断面図であり、従来の充電器においては、バッテリの充電終了や異常をブザー１３による音で知らせるとともに、充電終了までの残時間、充電終了、バッテリの異常、バッテリ高温時の待機状態、未充電状態を光源１１から出射される光を外郭１２に取り付けられた集光器１４で集め、この光を外郭１２の上部に設けられた確認窓５０に表示していた。
【特許文献１】特開２００６−１４９００６号公報
【発明の開示】
【発明が解決しようとする課題】
【０００５】
上記従来の充電器では、充電状態を確認するためには、外郭１２の上部に設けられた確認窓５０を覗き込まなければならなかった。
【０００６】
ところで、コードレスの電動工具は、充電器から離れた場所での作業に使用されることが多く、バッテリの充電状態を確認するために充電器の確認窓を覗くことは実際には難しい。
【０００７】
又、充電器は室内の薄暗い場所で使用されることが多く、置いた場所が分からなくなる場合がある。そして、室内で充電器を使用する際、バッテリの充電の終やバッテリの異常を知らせるブザー音がうるさく感じられる場合もある。
【０００８】
本発明は上記問題に鑑みてなされたもので、その目的とする処は、離れた場所からでもバッテリの充電状態を確認することができるとともに、ブザーによる騒音を低減することができる充電器を提供することにある。
【課題を解決するための手段】
【０００９】
上記目的を達成するため、請求項１記載の発明は、バッテリの充電状態を表示する発光手段を外郭内に備えた充電器において、前記発光手段によって表示されるバッテリの充電状態を複数の方向から確認可能としたことを特徴とする。
【００１０】
請求項２記載の発明は、請求項１記載の発明において、前記発光手段は、少なくとも１つの光源が発する光を外郭の複数の方向から確認可能としたことを特徴とする請求項１記載の充電器。
【００１１】
請求項３記載の発明は、請求項１又は２記載の発明において、前記外郭のうち少なくとも基板収納部以外はバッテリの充電状態を確認可能としたことを特徴とする。
【００１２】
請求項４記載の発明は、請求項１〜３の何れかに記載の発明において、前記外郭に複数の集光器を設けたことを特徴とする。
【００１３】
請求項５記載の発明は、請求項１〜４の何れかに記載の発明において、前記発光手段によって充電中以外にも複数の方向から発光が確認できることを特徴とする。
【００１４】
請求項６記載の発明は、請求項１〜５の何れかに記載の発明において、前記バッテリの充電の終了やバッテリの異常をブザー音で知らせる報知手段と、該報知手段をＯＮ／ＯＦＦする切換手段を設けたことを特徴とする。
【発明の効果】
【００１５】
本発明によれば、外郭が光ることによって充電器から離れた場所の複数方向からバッテリの充電状態や充電器の位置を確認することができる。
【００１６】
又、外郭が光ることによってバッテリの充電状態を確認することができるため、ブザー音が不要な場合にブザー音を鳴らさないようにすることもでき、騒音を低減することができる。
【発明を実施するための最良の形態】
【００１７】
以下に本発明の実施の形態を添付図面に基づいて説明する。
【００１８】
図１は本発明に係る充電器の正断面図であり、図示の充電器の外郭１２内には光源１１とブザー１３及び前記光源１１から複数の方向へ延びる複数の集光器１４，１４ａ，１４ｂが収容されている。
【００１９】
上記集光器１４は光源１１から上方に延びて外郭の上面に開口しており、集光器１４ａ，１４ｂは光源１１から水平に左右に延びて外郭１２の左右の側面に開口している。そして、各集光器１４，１４ａ，１４ｂの外郭１２の上面及びは側面に開口する開口部には不図示の確認窓（図２の確認窓５０と同様のもの）が設けられている。尚、図示しないが、光源１１から図１の紙面垂直方向に水平に延びる集光器を設けても良い。但し、基板１５を収納する部分には集光器を設けることができない。
【００２０】
ここで、光源１１は、バッテリの充電の終了、バッテリの異常、充電終了までの残時間状態、充電終了、バッテリ高温時の待機状態、未充電状態等を発光色や点灯／消灯サイクルで表示するものであって、この光源から発せられる光は、各集光器１４，１４ａ，１４ｂによって集められて外郭１２の上面及び両側面の確認窓に表示される。
【００２１】
又、前記ブザー１３は、バッテリの充電の終了やバッテリの異常をブザー音で知らせる報知手段を構成するものであって、当該充電器には、ブザー１３をＯＮ（作動）／ＯＦＦ(停止)する不図示の切換手段が設けられている。
【００２２】
以上において、本発明に係る充電器によれば、外郭１２の上面及び両側面が光るため、充電器から離れた場所の複数方向からバッテリの充電状態や充電器の位置を確認することができる。尚、光源１１によって充電中以外にも複数の方向から発光が確認できるようにしても良い。
【００２３】
又、上述のように外郭１２が光ることによってバッテリの充電状態を確認することができるため、ブザー音が不要な場合にブザー１３からブザー音が鳴らないようにすることもでき、これによって騒音を低減することができる。
【図面の簡単な説明】
【００２４】
【図１】本発明に係る充電器の正断面図である。
【図２】従来の充電器の平面図である。
【図３】従来の充電器の正断面図である。
【符号の説明】
【００２５】
１１      光源（発光手段）
１２      外郭
１３      ブザー（報知手段）
１４      集光器
１４ａ    集光器
１４ｂ    集光器
１５      基板
【図１】
2008228505.tif 000003
【図２】
2008228505.tif 000004
【図３】
2008228505.tif 000005